(57)【要約】      （修正有）【課題】錠装置を小型化することができ、錠装置の紛失を防止できる引き戸用補助錠を提供する。【解決手段】引き戸用補助錠は、引き戸１に固定されて該引き戸１の移動方向に沿って複数の被係止部２、２・・・を形成する錠受け３と、施錠方向と解錠方向とに回動操作自在に形成されて施錠方向に向かって付勢されるとともに解錠方向に所定角度θ回転した際に付勢方向が反転して解錠方向に向かって付勢される係止片４を備え、施錠状態において前記被係止部２、２、・・・のいずれかに係止片４を圧接させる施錠体５とを有して構成することを特徴とする。【選択図】図１
2005060978.tif 000002
【特許請求の範囲】
【請求項１】
引き戸に固定されて該引き戸の移動方向に沿って複数の被係止部を形成する錠受けと、
施錠方向と解錠方向とに回動操作自在に形成されて施錠方向に向かって付勢されるとともに解錠方向に所定角度回転した際に付勢方向が反転して解錠方向に向かって付勢される係止片を備え、施錠状態において前記被係止部のいずれかに係止片を圧接させる施錠体とを有する引き戸用補助錠。
【発明の詳細な説明】
【技術分野】
【０００１】
本発明は引き戸用補助錠に関するものである。
【背景技術】
【０００２】
従来、引き戸用補助錠としては、特許文献１に記載されたものが知られている。この従来例において、引き戸用補助錠は、ラック歯が突設された固定プレートと、噛合歯が形成された補助ロック装置とを有し、引き違い戸の室外側引き戸室内面に貼り付けた固定プレートのラック歯に対して補助ロック装置の噛合歯を噛み合わせることにより施錠される。補助ロック装置は、噛合歯が突設された噛み合いプレートと、この噛み合いプレートに対して進退動自在な板材とを備え、引き違い戸のガイド溝室内側側壁と固定プレートに対して噛み合いプレートと板材を圧接、あるいは密着させることにより、噛合歯をラック歯に噛み合わせた状態で固定される。固定状態において補助ロック装置は室内側引き戸の端面に当接し、室内側引き戸と室外側引き戸の引き違い方向への移動が禁止される。
【特許文献１】特開２０００-６４６９９
【発明の開示】
【発明が解決しようとする課題】
【０００３】
しかしながら上記従来例は、ラック歯と噛合歯を噛み合わせた状態で引き戸のガイド溝内に補助ロック装置を固定することによって引き戸を施錠するために、逆に引き戸を解錠する際には、補助ロック装置の固定を解除し、引き戸のガイド溝から補助ロック装置を取り外さなければならない。したがって、引き戸を解錠している間に補助ロック装置を紛失しやすいという欠点を有する。
【０００４】
また、錠装置を引き戸等に常時固定する場合には、引き戸の使い勝手を損ねないように錠装置を適宜の大きさに形成する必要があるが、上記従来例は、施解錠操作を行うために板材を直線方向に移動させる、すなわち板材に並進運動をさせることから、回転運動等をさせる場合よりも構造が複雑になり、補助ロック装置が比較的大きくなってしまうという欠点を有する。
【０００５】
本発明は以上の欠点を解消すべくなされたものであって、錠装置を小型化することができ、錠装置の紛失を防止をすることができる引き戸用補助錠の提供を目的とする。
【課題を解決するための手段】
【０００６】
本発明によれば上記目的は、
引き戸１に固定されて該引き戸１の移動方向に沿って複数の被係止部２、２、・・・を形成する錠受け３と、
施錠方向と解錠方向とに回動操作自在に形成されて施錠方向に向かって付勢されるとともに解錠方向に所定角度θ回転した際に付勢方向が反転して解錠方向に向かって付勢される係止片４を備え、施錠状態において前記被係止部２、２、・・・のいずれかに係止片４を圧接させる施錠体５とを有する引き戸用補助錠を提供することにより達成される。
【０００７】
本発明によれば、引き戸用補助錠は、引き戸１に被係止部２を形成する錠受け３と、施錠状態において引き戸１の被係止部２に圧接する係止片４を備えた施錠体５とを有し、係止片４を施錠方向と解錠方向とに回動操作自在にして構成される。係止片４が回転運動を行うことにより、並進運動を行う場合に比して、構造を単純にすることができるとともに、係止片４の移動領域も小さいために、施錠体５を小型化することができる。
【０００８】
また、回動操作自在な係止片４を施錠方向、および解錠方向に向かって付勢することにより、係止片４を施錠操作位置である係止位置と解錠操作位置である非係止位置とに簡単な構造で保持することができる。逆方向である施錠方向と解錠方向とに付勢する場合、回転運動を行う係止片４の回転経路上に所定角度θとなる位置に付勢方向の中立点、いわゆる思案点を設けてこれを境に付勢方向を逆転すればよく、簡単な構造で操作性を向上させることができる。この所定角度θは使い勝手を考慮して適宜に決定することができる。
【０００９】
施錠状態において錠受け３が固定された引き戸１と施錠体５の固定対象物との相対移動を規制することにより引き戸１を施錠する本発明によれば、施錠体５を錠受け３の周りの任意の場所に固定することが可能となる。したがって、引き戸１の開放操作の邪魔にならない位置を選んで施錠体５を常時固定しておけば、解錠時における施錠体５の紛失を確実に防止することができる。施錠体５の固定箇所は、例えば戸枠や框など強度を確保できる場所が望ましく、施錠対象となる引き戸１の開放方向に直交する面上、例えば引き違いの引き戸１の引き違い側側面等に固定した場合には、低い固定強度で強固に係止状態を維持することができる。また、係止片４を引き戸１の移動方向に対して直交方向に回動させれば、ガイド溝内における引き戸１のがたつきを吸収することができる。
【００１０】
さらに、引き戸１の移動方向に沿って複数の被係止部２、２、・・・を形成することにより、係止片４を係止させる被係止部２を選択して引き戸１の開放幅を調整することができる。例えば、引き戸１を閉めた位置と少し開けた位置とに対応して被係止部２を形成すれば、既設の錠装置との併用によって安全性を向上させることができるとともに、風通しを確保した状態のまま引き戸１を施錠することもできる。
【００１１】
錠受け３に設けられる被係止部２は、係止片４の形状に応じて、凹部、凸部、鉤形状等種々の形状にすることが可能であり、上述した風通しの程度を調整しやすくするために、多数の被係止部２を所定ピッチに配置することが望ましい。この錠受け３の引き戸１における固定場所は、ガラスが組み込まれたガラス戸を引き戸１とする場合には、採光性や設置強度等を確保できる上框、下框、あるいは中桟等が望ましい。
【００１２】
施錠対象となる引き戸１は、ガイド溝やレールに乗せられたり、あるいは吊り下げられたりして設置され、また、開放時に戸袋に収納されたり、さらには、片引き戸、引き違い戸、引き分け戸等の様式もあるために、錠受け３の形状や施錠体５の設置箇所等は引き戸１の態様に応じて決定することが望ましい。例えば、錠受け３については、片引き戸であって開放時に戸袋に収納される引き戸１の場合には戸袋内に挿入可能な程度、引き違い戸であって引き戸１の引き違い面に固定する場合には引き違いの隙間に入る程度の厚さに形成することが望ましい。同様に施錠体５については、片引き戸１の場合には戸枠や戸袋等に固定し、また、引き違い戸等の場合には、錠受け３が固定された一方の引き戸１に対して他方の引き戸１’に固定すれば施錠時に二枚の引き戸１、１’を施錠することができる。
【発明の効果】
【００１３】
以上の説明から明らかなように、本発明によれば、錠装置を小型化することができ、錠装置の紛失を防止することができるために、安価で、使い勝手のよい引き戸用補助錠を提供することができ、広く防犯性を高めることができる。
【発明を実施するための最良の形態】
【００１４】
図１および図２に本発明の実施の形態を示す。この実施の形態において、引き戸用補助錠は、窓に取り付けられた二枚引き違いの引き戸１、１’に対して固定される。各引き戸１はガラス１０の周りを框１１で囲って形成されるガラス戸であり、窓枠に凹設されたガイド溝１２内に端部が挿入されて窓枠に保持される。図１に示すように、下部のガイド溝１２内には二枚のガラス戸１、１’に対応した二本のレール１３、１３’が平行に突設されており、ガラス戸１、１’は下端をそれぞれのレール１３、１３’に嵌合させてガイド溝１２に沿って窓枠内を図１、２におけるＡ、Ｂ方向、すなわち横方向に摺動することができ、引き違い方向（図におけるＡ方向）に相対移動することによって窓を開放する。なお、図１および図２において１は室外側、１’は室内側のガラス戸であり、引き違い部分には図外のクレセント錠が主錠として取り付けられる。
【００１５】
引き戸用補助錠は、室外側ガラス戸１に固定される錠受け３と、回動操作自在な係止片４を備えて室内側ガラス戸１’に固定される施錠体５とを有し、施錠体５の係止片４を錠受け３に係止させることによって二枚のガラス戸１、１’を施錠する。
【００１６】
図１および図２に示すように、錠受け３は、ベルト状に形成される基部１４の表面に長手方向に沿って複数の山（被係止部２）を突設させた側面視ノコギリ刃形状であり、ＡＢＳ樹脂等の合成樹脂を射出成形して形成される。各山２は、基部１４から垂直方向に突出する垂直壁２ａと、基部１４に対して傾斜して突出する傾斜壁２ｂとを組み合わせて形成され、垂直壁２ａと傾斜壁２ｂを交互に配置することにより複数の山２、２、・・・が連設される。したがって、基部１４の裏面に図外の両面接着テープ等を貼り付けて錠受け３を室外側ガラス戸１の下框１１室内側１１ａに固定することにより、ガラス戸１、１’の開放方向に上記各山２の垂直壁２ａを配置させるとともに、ガラス戸１、１’を閉める方向に傾斜壁２ｂを配置させる、すなわち、引き違い方向に向かって傾斜して突出高さが高くなる山２をガラス戸１移動方向に沿って連設させることができる。
【００１７】
施錠体５は係止片４を回動自在に連結した基台１５の裏面に図外の両面接着テープを等を貼り付けることにより、室内側ガラス戸１’の引き違い側縦框１１’の側面１１’ａに固定される。図１ないし図３に示すように、基台１５は、平面視矩形の平板である底壁１５ａの一端から折り返し方向に挟持片１５ｂを延設させた側面視コ字形状であり、後述する適度の弾性変形が可能なＡＢＳ樹脂等の合成樹脂を射出成形して形成される。挟持片１５ｂは底壁１５ａの左右両端部に一対形成され、後述する係止片４の左右両側において枢支軸１６を底壁１５ａとともに回動自在に挟持する。なお、図３において１５ｃは上記枢支軸１６を支える支持部であり、底壁１５ａを膨隆させて挟持片１５ｂとの間に形成され、円弧状の支持面により基台１５の開口１５ｄ反対端から枢支軸１６を回動自在に支える。また、１５ｅは枢支軸１６下部に嵌合する嵌合部であり、挟持片１５ｂ、１５ｂ間の底壁１５ａを略半円柱状に掘り込んで形成される。
【００１８】
この基台１５に連結される係止片４は、ポリアセタール等の合成樹脂の射出成形品であり、前述した錠受け３とほぼ同じ幅寸法を有する板片１７の後端部から両側方に枢支軸１６を突出させて形成される。図３に示すように、上記板片１７の先端は厚さ方向に斜めにカットされて係止部１７ａが形成されるとともに、中央近傍は、両側方を円弧状に肉盗みして形成される肉盗み部１７ｂと、この肉盗み部の上端から側方に向かって突出する摘み部１７ｃとが形成される。なお、図３（ａ）において１７ｄは摘み部１７ｃを指すマークであり、係止片４の表面に刻印して形成される。
【００１９】
係止片４に形成される枢支軸１６は、上記板片１７の後端縁を真円柱状に膨隆させて形成される太径部１６ａと、板片１７の長手方向に沿って長寸の楕円を前記太径部１６ａの両端から側方に柱状に膨隆させて形成される楕円柱部１６ｂと、この楕円柱部１６ｂの突出先端からさらに側方に向かって真円柱状に突出する細径部１６ｃとを有する。太径部１６ａは、図３（ｂ）に示すように、係止片４が板片１７に沿う平行姿勢における底壁１５ａと挟持片１５ｂとの間隔ｔよりも長寸の直径を有し、楕円柱部１６ｂの一方の中心軸と合致するととももに、細径部１６ｃの中心軸と合致する軸線を中心軸とする。また、楕円柱部１６ｂの短寸側の直径と細径部１６ｃの直径は、係止片４を挟持しない状態における底壁１５ａと挟持片１５ｂとの間隔ｔよりもやや大きい程度に設定される。
【００２０】
以上の基台１５と係止片４とは、挟持片１５ｂを弾性変形させて底壁１５ａと挟持片１５ｂとの間隔ｔを太径部１６ａが挿通可能な大きさに広げた状態で係止片４を枢支軸１６側から開口１５ｄより挿入し、嵌合部１５ｅに太径部１６ａの下部を嵌合させるとともに、細径部１６ｃの裏面側を支持部１５ｃに当接させ、この状態で挟持片１５ｂを復帰させて楕円柱部１６ｂおよび細径部１６ｃを挟持させることにより連結される。連結状態において、楕円柱部１６ｂは、挟持片１５ｂに押圧されて底壁１５ａと挟持片１５ｂとの間隔ｔが最も短い短寸側の直径において挟持され、これにより係止片４の板片１７は底壁１５ａに沿う平行姿勢に維持される。また、係止片４は、太径部１６ａの嵌合部１５ｅへの嵌合および挟持片１５ｂ端縁との接触により基台１５に対して側方に対して抜け止めされるとともに、支持部１５ｃによる細径部１６ｃの支持と上記太径部１６ａの嵌合とが相俟って前後方向にも抜け止めされ、さらに、基台１５に楕円柱部１６ｂおよび細径部１６ｃが挟持されて上下方向への移動も規制されて基台１５に保持される。
【００２１】
この状態から係止片４を基台１５に対して引き起こすと、太径部１６ａおよび細径部１６ｃの中心を通る軸線を回転中心として回転する係止片４は、太径部１６ａを嵌合部１５ｅに、細径部１６ｃを支持部１５ｃに摺接させて回転方向をガイドされ、底壁１５ａにより移動を規制される範囲、すなわち上記基台１５への挿入姿勢（図３（ｂ）参照）から１８０度回転する反転姿勢（図１において２点鎖線で示す姿勢）まで回転することができる。回転に伴って、楕円柱部１６ｂは直径が短寸から長寸に拡大していく際に挟持片１５ｂを底壁１５ａから離れる拡開方向に弾性変形させて上記間隔ｔを拡大させるため、係止片４には底壁１５ａと板片１７とが平行になる挿入姿勢に戻る回転方向の付勢力（図３（ｄ）におけるＤ方向）が与えられる。この付勢力は、図３（ｄ）に示す係止片４が基台１５に対してほぼ垂直（所定角度θ）となる垂直姿勢において中立し、この垂直姿勢を境に係止片４に対する付勢方向が反転姿勢に進む回転方向（図３（ｄ）におけるＣ方向）へと逆転する。
【００２２】
したがって、室内側ガラス戸１’に基台１５を固定するとととともに室外側ガラス戸１に錠受け３を固定し、ガラス戸１’、１間の間隔によって係止片４が上記基台１５への挿入時の平行姿勢から起きあがって縦姿勢までの間の姿勢に維持されることにより、図３（ｄ）におけるＤ方向に付勢された係止片４は先端の係止部１７ａを錠受け３に圧接させる。係止部１７ａは錠受け３に近接する方向、すなわち挿入姿勢方向に向かって先端がカットされているために、錠受け３に対して鋭利先端部分に付勢力を集中させることができ、錠受け２の山２に対して強固に係止することができる。上述したように、錠受け３の山２はガラス戸１、１’の引き違い方向に垂直壁２ａが配置されているために、係止状態において係止片４は垂直壁２ａに係止してガラス戸１、１’の開放方向への相対移動を禁止する。
【００２３】
また、錠受け３の山２には、室内側ガラス戸１’に対して離れる方向に向かって傾斜する傾斜壁２ｂが形成されているために、上記係止状態からガラス戸１、１’を閉める方向に相対移動させることは可能であり、図４（ａ）に示す係止状態から、図４（ｂ）に示すように室内側引き戸１’をＡ方向に、あるいは室外側ガラス戸１をＢ方向に移動させると、傾斜面２ｂに乗り上げて移動する係止部１７ａは、基台１５の付勢力に抗して反転姿勢に向かって縦姿勢手前までＣ方向に回転し、錠受け３の山２を越えることができる。山２を越えた係止片４は付勢力によって谷側に落ち込んでガラス戸１、１’の引き違い方向に対しては次の山２の垂直壁２ａに係止するが、上述したように窓を閉める方向に対しては山２を越えることが可能であり、順次複数の山２、２、・・・を超えることにより、ガラス戸１が閉まる位置まで移動することができる。
【００２４】
一方、引き戸用補助錠を解錠する場合には、肉盗み部１７ｃに指を当て、摘み部１７ｃを挟んで係止片４を錠受け３から離れる方向、すなわち図１におけるＣ方向に付勢力に抗して回転させればよい。係止片４に働く付勢力は係止片４が縦姿勢を超えて回転することにより逆転し、挿入姿勢方向から反転姿勢方向になるために、簡単に行うことができる。
【００２５】
なお、本実施の形態において、複数の山２、２・・・は室外側ガラス戸１’の引き違い側に１０ｃｍ程度の長さの範囲で形成されるために、山２を選択して係止片４を係止させることにより、ガラス戸１、１’を閉めた状態から、ガラス戸１、１’と窓枠との間に人間が通れない程度の隙間が形成される状態までの範囲内において、施錠することができる。
【００２６】
また、ガラス戸１、１’を適宜の間隔で開放させた状態のまま施錠する場合において、単に一方のガラス戸１の所定位置に固定した被係止部に対して他方のガラス戸の所定位置に固定した係止部を係止させるだけで施錠をしていると、ガラス戸１、１’を一旦閉めたときに上記開放間隔が助走距離となって再度ガラス戸１、１’を開放方向に移動させる際に勢いを付けることが可能となり、係止部や被係止部をガラス戸１、１’から剥がし、あるいは破壊するような衝撃が加えられるおそれがある。この点、上記本発明の実施の形態においては、垂直壁２ａ間の間隔、すなわち、山２間のピッチが小さいために、助走を付けるために一旦ガラス戸１を開放方向に移動させると、当該位置で係止状態となって閉塞側に移動することができなくなることから、施錠体５や錠受け３に対して大きな衝撃が加えられることがなくなる。このため、施錠体５などの固定強度等を過大にする必要がなくなり、装置の小型化に貢献する。
【００２７】
さらに、上記実施の形態においては、錠受け３や施錠体５を両面接着テープによって固定する場合を示したが、接着剤やネジ等種々の固定手段によって固定することができる。
【図面の簡単な説明】
【００２８】
【図１】本発明を示す図で、引き戸への取り付け状態を説明する平面図である。
【図２】本発明を示す図で、引き戸への取り付け状態を説明する正面図である。
【図３】施錠体を示す図で、（ａ）は平面図、（ｂ）は側面図、（ｃ）は（ａ）の３Ｃ-３Ｃ線断面図、（ｄ）は係止片の中立姿勢を示す側面図である。
【図４】係止片が錠受けの山を乗り越える状態を説明する平面図で、（ａ）は乗り越え前の状態を示す図、（ｂ）は乗り越える時の状態を示す図である。
【符号の説明】
【００２９】
１  引き戸
２  被係止部
３  錠受け
４  係止片
５  施錠体
【図１】
2005060978.tif 000003
【図２】
2005060978.tif 000004
【図３】
2005060978.tif 000005
【図４】
2005060978.tif 000006